(57)【要約】【課題】使用者が暗証番号を忘れても他の暗証番号で監視動作を終了することが可能になる監視システムを提供することを目的とする。【解決手段】センサ端末器１１、２１と、主装置１にはそれぞれ定常状態または非定常状態に関する情報と主装置１からの監視動作開始信号および監視動作終了信号とこの監視動作開始信号および監視動作終了信号に対する応答信号の送信または受信を行う情報通信手段３、１３を有し、主装置１は監視動作の開始または終了の設定を受け付けるための操作部４と複数の暗証番号を記憶する暗証番号記憶部５を有し、監視動作終了の操作をされた場合には暗証番号記憶部５に記憶されているいずれかの暗証番号入力により監視動作を終了する。【選択図】図１
2005216051.tif 000002
【特許請求の範囲】
【請求項１】
定常または非定常の状態を監視するひとつまたは複数のセンサ端末器と、このセンサ端末器と通信可能な主装置とを有し、前記センサ端末器と前記主装置には、それぞれ定常状態または非定常状態に関する情報と前記主装置からの監視動作開始信号および監視動作終了信号とこの監視動作開始信号および監視動作終了信号に対する応答信号の送信または受信を行う情報通信手段を有し、前記主装置は、監視動作開始または終了の設定を受け付けるための操作部と複数の暗証番号を記憶する暗証番号記憶部を有し、監視動作終了の操作をされた場合には暗証番号記憶部に記憶されているいずれかの暗証番号を入力すると監視動作終了信号を前記センサ端末器に送信する監視システム。
【請求項２】
主装置の暗証番号記憶部が記憶している暗証番号のうち少なくとも１つは変更ができない暗証番号である請求項１に記載の監視システム。
【請求項３】
主装置の暗証番号記憶部が記憶している暗証番号のうち少なくとも１つは製造時または設置時に記憶させた暗証番号である請求項１または２に記載の監視システム。
【請求項４】
使用者が初期登録した暗証番号以外の暗証番号の入力により監視動作が終了した場合には通信ネットワークを通じて通報する請求項１〜３のいずれか１項に記載の監視システム。
【請求項５】
請求項１〜４のいずれか１項に記載の監視システムにおける機能の少なくとも一部をコンピュータで実現するプログラム。
【発明の詳細な説明】
【技術分野】
【０００１】
本発明は、防犯用の監視システムおよびそのプログラムに関するものである。
【背景技術】
【０００２】
従来、この種の監視システムは、侵入者が監視動作を簡単に終了させることができないようにするため、予め定められた暗証番号を入力しないと監視動作は終了できない（例えば、特許文献１参照）。
【０００３】
図２は、従来の監視システムを示すものであり、端末警備装置３１は、送信機３２、複数のセンサ３３、複数の設備機器３４、制御信号受信手段３５、リモコン３６で構成されており、電話機３７の回線を介してセンター装置とデータの授受を行っていた。そして、監視動作の開始と終了はリモコン３６で設定でき、監視動作を終了させるときはリモコン３６から暗証番号をボタン入力する。
【特許文献１】実開平５−５５２９３号公報
【発明の開示】
【発明が解決しようとする課題】
【０００４】
しかしながら、前記従来の構成では、使用者が暗証番号を忘れてしまった場合、リモコン３６で監視動作を終了させようとしても端末警備装置３１はリモコン３６からの監視動作終了要求を受け付けず、使用者自身では全く監視動作を終了させることができなかった。このため、監視動作を終了させるには端末警備装置３１の製造メーカにこの端末警備装置３１を送るなどして、内部の状態記憶メモリを初期値に戻す必要があるという課題を有していた。
【０００５】
本発明は、前記従来の課題を解決するもので、使用者が監視動作を終了させる暗証番号を忘れても第２の暗証番号で監視動作を終了させることができる監視システムおよびそのプログラムを提供することを目的とする。
【課題を解決するための手段】
【０００６】
前記従来の課題を解決するために、本発明の監視システムおよびそのプログラムは、センサ端末器と通信可能な主装置は、複数の暗証番号を記憶する暗証番号記憶部を有しているものである。
【０００７】
これにより、監視動作終了の操作をする場合には、暗証番号記憶部に記憶されているいずれかの暗証番号を入力すると監視動作が終了するので、使用者が暗証番号を忘れても他の暗証番号で監視動作を終了することが可能になり、使用者の利便性が向上する。
【発明の効果】
【０００８】
本発明の監視システムおよびそのプログラムは、使用者が暗証番号を忘れても他の暗証番号で監視動作を終了することが可能になり、使用者の利便性が向上する。
【発明を実施するための最良の形態】
【０００９】
第１の発明は、定常または非定常の状態を監視するひとつまたは複数のセンサ端末器と、このセンサ端末器と通信可能な主装置とを有し、前記センサ端末器と前記主装置には、それぞれ定常状態または非定常状態に関する情報と前記主装置からの監視動作開始信号および監視動作終了信号とこの監視動作開始信号および監視動作終了信号に対する応答信号の送信または受信を行う情報通信手段を有し、前記主装置は、監視動作開始または終了の設定を受け付けるための操作部と複数の暗証番号を記憶する暗証番号記憶部を有し、監視動作終了の操作をされた場合には暗証番号記憶部に記憶されているいずれかの暗証番号を入力されると監視動作終了信号を前記センサ端末器に送信する監視システムとすることにより、監視動作終了の操作をする場合には、暗証番号記憶部に記憶されているいずれかの暗証番号を入力すると監視動作が終了するので、使用者が暗証番号を忘れても他の暗証番号で監視動作を終了することが可能になり、使用者の利便性が向上する。
【００１０】
第２の発明は、特に、第１の発明において、主装置の暗証番号記憶部が記憶している暗証番号のうち少なくとも１つは変更ができない暗証番号であることにより、使用者が自身で登録した暗証番号を忘れた場合でも予め決められている固定の暗証番号で監視動作を終了できる。
【００１１】
第３の発明は、特に、第１または第２の発明において、主装置の暗証番号記憶部が記憶している暗証番号のうち少なくとも１つは製造時または設置時に記憶させた暗証番号であることにより、使用者が自身で登録した暗証番号を忘れた場合でも製造メーカまたは設置業者に問い合わせて得た暗証番号で監視動作を終了できる。
【００１２】
第４の発明は、特に、第１〜第３のいずれか１つの発明において、使用者が初期登録した暗証番号以外の暗証番号の入力により監視動作が終了した場合には通信ネットワークを通じて通報することにより、通常使われる暗証番号以外で監視動作が終了されたことを通報先に知らせ、監視システムの安全性が向上する。
【００１３】
第５の発明は、特に、第１〜第４のいずれか１つの発明において、監視システムにおける機能の少なくとも一部をコンピュータで実現するプログラムとすることにより、プログラムであるので、電気・情報機器、コンピュータ、サーバー等のハードリソースを協働させて監視システムの少なくとも一部を容易に実現することができる。また、記憶媒体に記憶したり通信回線を用いてプログラムを配信したりすることで、プログラムの配布やインストール作業が簡単にできる。
【００１４】
以下、本発明の実施の形態について、図面を参照しながら説明する。なお、この実施の形態によって本発明が限定されるものではない。
【００１５】
（実施の形態１）
図１は、本発明の実施の形態１における監視システムを示すものである。
【００１６】
図に示すように、本実施の形態における監視システムは、家屋に設置された主装置１と、家屋の窓やドアの枠に取り付け、定常または非定常の状態を監視するセンサ端末器１１、２１とを有し、主装置１とセンサ端末器１１、２１間は、無線による通信手段によって通信可能なものとなっている。
【００１７】
主装置１は、公衆電話回線７を介して予め登録された電話８ａまたは８ｂに通報することができる。電話８ａは所有者の出先（例えば、会社など）の固定電話機であり、電話８ｂは前記所有者の携帯電話機である。センサ端末器１１、２１は、図に示すように、２個に限らず、それ以上であっても良いものである。なお、公衆電話回線に限定するものでなく、無線通信網やデータ通信網、インターネットなど通信ネットワークであればよい。
【００１８】
また、前記主装置１の構成は次の各部を備えている。すなわち、制御部２と、定常状態または非定常状態に関する情報と監視動作開始信号の送信、監視動作開始信号に対する応答信号の受信を行う情報通信手段３と、監視システムを設置したときの初期登録として、暗証番号の登録や通報先の設定、さらに日常使用するときの監視動作開始または終了の設定を受け付けるための操作、そして、監視動作終了させるときの暗証番号の入力などを行うテンキーを備えた操作部４と、複数の暗証番号が記憶でき、複数の暗証番号のうち１部は所有者が変更可能にするために書き換え可能なメモリ構造になっている暗証番号記憶部５と、公衆電話回線７に接続する通報部６と、通報する内容である非定常状態を検知した内容を伝える音声データを記憶しておく音声データ記憶部９と、無線通信のためのアンテナ１０とを有している。
【００１９】
そして、前記操作部４にて、暗証番号記憶部５に記憶されているいずれかの暗証番号が入力されると、監視動作終了信号を前記センサ端末器１１、２１に送信するものである。
【００２０】
次に、前記センサ端末器１１、２１であるが、内部構成は同じであるので、代表して、センサ端末器１１の構成について説明する。
【００２１】
センサ端末器１１は、端末制御部１２と、主装置１からの監視動作開始信号および監視動作終了信号を受信し、監視動作開始信号および監視動作終了信号に対する応答信号を主装置１に送信する情報通信手段１３と、家屋の窓やドアの枠に取り付け、窓やドアの開閉を検知するセンサ部１４と、無線通信のためのアンテナ１５とを有している。
【００２２】
前記端末制御部１２は、センサ部１４から非定常信号、すなわち侵入が発生したという情報を主装置１に対して自らの端末器識別コードと共に情報通信手段１３を用いて無線によって送信するものである。また、センサ部１４は、本実施の形態ではリードスイッチを設けており、可動部である窓ガラスやドアの開閉部にこのリードスイッチと対応して開閉させるための磁石を取り付けることにより、窓やドアの開閉を検知することができるものである。なお、このセンサ部１４はリードスイッチではなく焦電素子を用いた赤外線人体検知センサであっても良い。
【００２３】
以上のように構成された監視システムについて、以下その動作、作用を説明する。
【００２４】
まず、所有者が外出する前に主装置１の操作部４で監視動作を開始させると、主装置１は、情報通信手段３より監視動作開始信号をセンサ端末器１１、２１に送信する。センサ端末器１１、２１はそれぞれ情報通信手段１３で監視動作開始信号に対する応答信号を主装置１に送信する。その後、各センサ端末器１１、２１は監視動作を続け、もしセンサ端末器１１のセンサ部１４で非定常状態を検知すると、情報通信手段１３より主装置１へ非定常状態を検知したことを通知する。主装置１はセンサ端末器１１からの非定常状態の検知通知を受け、予め登録されていた通報先に通報部６を介して通報する。このとき通報先が所有者の携帯電話機８ｂに設定されていたとすると、非定常状態を検知する事態が発生したことを所有者の携帯電話機８ｂで聞くことができる。
【００２５】
その後、所有者が帰宅した場合、監視動作を終了させる必要があるが、このときの手順として、まず、所有者が監視動作の終了を主装置１の操作部４から操作すると、主装置１はすぐに監視動作を終了させるのではなく、その監視動作終了指示が本当に所有者による操作なのかどうかを確認するために、所有者しか知らない暗証番号の入力を求める。ここで、所有者が入力した暗証番号を主装置１の制御部２は暗証番号記憶部５に記憶されている暗証番号全てと照合する。いずれかの暗証番号記憶部５の暗証番号と所有者が先ほど入力した暗証番号が一致すればはじめて、各センサ端末器１１、２１に監視動作終了信号を送信する。センサ端末器１１、２１はそれぞれ情報通信手段１３で監視動作終了信号に対する応答信号を主装置１に送信する。その後、各センサ端末器１１、２１は監視動作を終了する。
【００２６】
しかしながら、いつも同じ暗証番号を使って監視動作の終了をさせていると、操作部４のテンキーにおいて暗証番号入力で使用する番号のところに汚れが付いたり、数字の刻印が薄れてきたりするため、他人からでも容易に暗証番号を推測できるようになってしまう。本実施の形態では、暗証番号を一つだけでなく複数登録しておけるようになっており、使用者が暗証番号を忘れても他の暗証番号で監視動作を終了することが可能になり、使用者の利便性が向上する。また、所有者はいつも同じ暗証番号を使わず、適時別の暗証番号で監視動作を終了できる。このため操作部４のテンキーの同じ数字だけが汚れ暗証番号を推測される可能性が減少する。
【００２７】
上記のように、本実施の形態における監視システムは、監視動作終了の操作をする場合には、暗証番号記憶部５に記憶されているいずれかの暗証番号を入力すると監視動作が終了するので、使用者が暗証番号を忘れても他の暗証番号で監視動作を終了することが可能になり、使用者の利便性が向上する。
【００２８】
なお、暗証番号記憶部５における複数登録できる暗証番号の少なくとも１つは一度登録すると変更ができない記憶構造（例えばＲＯＭに記憶する）にしておけば、度々、所有者が暗証番号を変更しても少なくとも１つの暗証番号は最初に登録した時のままであるので、変更を重ねた暗証番号を忘れても変更されていない暗証番号が残っているため安心である。
【００２９】
また、監視システムの製造メーカにて製造時または設置時に予め暗証番号を記憶させておけば、所有者が自身で登録した暗証番号を忘れてしまった場合でも、製造メーカまたは設置業者から所有者に監視動作を終了させることができる別の暗証番号を伝えることができる。この暗証番号は、通報部６、公衆電話回線７を用いて、製造メーカまたは設置業者が遠隔操作にて変更できるようにしてもよい。このようにすれば、暗証番号を例えば定期的に変えることで安全性が高まる。
【００３０】
また、主装置１は、使用者にあらかじめ知らせない暗証番号を記憶できるようにすることにより、例えば、製造メーカは使用者が登録した暗証番号以外の暗証番号を知られることが無く記憶でき、いざと言う時に監視動作の終了が可能で、監視システムの安全性が向上する。
【００３１】
また、使用者が初期登録した暗証番号以外の暗証番号（たとえば製造時または設置時に予め記憶させた暗証番号）の入力により監視動作が終了した場合には、電話回線７を通じて電話により予め登録されている通報先に通報するようにしておけば、所有者の意図にそぐわない監視動作の終了があった場合、すぐに所有者に通知することができる。
【００３２】
また、本実施の形態では通信の媒体として無線を用いているが、専用線による有線通信、電灯線搬送通信、赤外線通信、光ファイバ通信など、いずれの通信媒体を用いても同様の効果を有するものである。
【００３３】
なお、本実施の形態で説明した手段は、ＣＰＵ（またはマイコン）、ＲＡＭ、ＲＯＭ、記憶・記録装置、Ｉ／Ｏなどを備えた電気・情報機器、コンピュータ、サーバー等のハードリソースを協働させるプログラムの形態で実施してもよい。プログラムの形態であれば、磁気メディアや光メディアなどの記録媒体に記録したりインターネットなどの通信回線を用いて配信することで新しい機能の配布・更新やそのインストール作業が簡単にできる。
【産業上の利用可能性】
【００３４】
以上のように、本発明にかかる監視システムおよびそのプログラムは、暗証番号記憶部に記憶されているいずれかの暗証番号を入力すると監視動作終了信号をセンサ端末器に送信することで監視システムの監視動作を終了させることができるため、独居老人宅などの見守りシステムにも応用できる。
【図面の簡単な説明】
【００３５】
【図１】本発明の実施の形態１における監視システムのブロック図
【図２】従来の監視システムのブロック図
【符号の説明】
【００３６】
１  主装置
２  制御部
３、１３  情報通信手段
４  操作部
５  暗証番号記憶部
６  通報部
７  公衆電話回線
８ａ、８ｂ  電話機
９  音声データ記憶部
１０、１５  アンテナ
１１、２１  センサ端末器
１２  端末制御部
１４  センサ部
【図１】
2005216051.tif 000003
【図２】
2005216051.tif 000004